(57)【要約】【課題】情報端末装置から番組録画予約をしておくことができ、録画完了後、所定の条件下で自動的に録画された番組が情報端末装置に転送される録画装置を提供する。【解決手段】情報端末装置３１は、放送番組の録画予約情報を、インターネット５１で得た放送番組情報で作成し、端末識別情報を付与し録画装置１１に送信する。録画装置１１は、録画予約情報を受信すると、受信したパパＰＤＡの端末識別情報でマーク検索処理を行いお父さんマークを特定し、放送録画予約情報は、予約情報にお父さんマークをつけ放送録画予約情報リストとして録画予約情報管理部に格納する。予約日時には、自動的に録画処理が実行され、デコードされた音声・映像信号は、所定のファイル形式に変換され、お父さんマークが付与され、録画ファイル格納部に記録される。情報端末装置３１が録画装置１１と通信可能になれば、録画ファイルの配信処理が自動的に開始される。【選択図】図１
2005217846.tif 000002
【特許請求の範囲】
【請求項１】
情報端末装置からの録画予約情報を受信する受信手段と、前記受信手段によって受信された録画予約情報を管理する録画予約情報管理手段と、前記録画予約情報管理手段によって管理された録画予約情報の予約時刻になったとき、前記録画予約情報の予約番組を録画する録画手段と、前記情報端末装置と通信可能となった場合に、前記録画手段が録画した録画番組を前記情報端末装置に自動的に配信する配信手段と、を備えた録画装置。
【請求項２】
前記配信手段が前記録画された録画番組を前記情報端末装置に配信した後、前記録画された録画番組を前記録画手段より自動的に消去する消去手段を備えた請求項１記載の録画装置。
【請求項３】
配信した録画番組を視聴し終えたという情報を、前記受信手段が、前記情報端末装置から受け取った場合に、前記視聴し終えたという情報に基づいて、視聴し終えた録画番組を前記録画手段より自動的に消去する消去手段を備えた請求項１記載の録画装置。
【請求項４】
前記録画予約情報が前記情報端末装置を識別する識別情報を含み、前記配信手段が、前記識別情報に基づいて前記録画番組を録画予約した情報端末装置に配信することを特徴とする請求項１乃至請求項３のいずれかに記載の録画装置。
【請求項５】
前記録画手段は、前記録画予約情報の予約番組を録画する場合、前記録画予約情報を受信した情報端末装置において受け入れ可能なファイル形式で録画することを特徴とする請求項１乃至請求項４のいずれかに記載の録画装置。
【請求項６】
前記録画予約情報管理手段は、前記録画予約情報を受信した予約番組を前記録画予約情報を受信した情報端末装置の識別情報と共に予め定めたマーク付けを行って管理することを特徴とする請求項１乃至請求項５のいずれかに記載の録画装置。
【請求項７】
前記録画予約情報管理手段は、前記予約番組に対して、複数のマーク付けを行うことができるように構成されていることを特徴とする請求項６記載の録画装置。
【請求項８】
録画装置と、前記録画装置と通信して希望する番組の録画予約を行う情報端末装置とを備え、前記録画装置は、前記情報端末装置からの録画予約情報を受信し、前記情報端末装置に対して録画した録画番組を配信する録画装置側通信手段と、録画予約情報の予約番組を所定のファイル形式にて録画する録画ファイル格納手段と、受信した前記録画予約情報を前記情報端末装置に応じた特定のマーク付けを行って保持し、予約番組の録画、および、録画済番組の配信処理、視聴し終えた録画番組の削除を行う削除処理を管理する録画予約情報管理手段と、を備え、前記情報端末装置は、前記録画装置側通信手段に対して録画予約に関わる制御情報の送受信を行う情報端末装置側通信手段と、前記録画予約情報の作成を行う録画予約情報作成手段と、を備えることを特徴とする番組録画予約システム。
【請求項９】
録画装置に番組の予約を行うための録画予約情報の作成を行う録画予約情報作成手段と、前記録画予約情報作成手段によって作成された録画予約情報を前記録画装置に送信し、前記録画装置より前記録画予約情報に基づいて録画された録画番組を受信する通信手段と、前記通信手段を通して受信した録画番組を視聴する表示手段と、を備えた情報端末装置。
【発明の詳細な説明】
【技術分野】
【０００１】
本発明は、情報端末装置からの録画予約情報を受信し、それぞれの録画予約情報に応じて、予約された番組を録画可能な録画装置、録画装置に録画予約情報を送信する情報端末装置および番組録画予約システムに関する。
【背景技術】
【０００２】
従来、ビデオテープレコーダやビデオディスクレコーダ等の録画装置において、希望する放送番組などを録画する場合、リモコンなどによる番組録画予約が広く用いられている。番組録画予約を行う場合には、リモコンなどを用いて番組録画予約したい番組、時刻を録画装置に送信しておき、録画装置に記憶して置く。このように設定しておくと、録画予約された時刻に録画予約した番組が受信され録画装置内の記録媒体に録画される。
【０００３】
又、家庭内に設置されている録画装置に携帯電話機等を使用して放送番組の録画予約ができるようにし、操作性を高めたネットワーク型の番組録画予約システムにおける録画装置も知られている。具体的には、放送番組情報と顧客情報とをそれぞれ蓄積しているネットワーク上の番組情報サーバーと、この番組情報サーバーにアクセスして希望の放送番組を予約する録画装置と、番組情報サーバーをアクセスして放送番組情報を閲覧し、かつ、希望の放送番組を選択できる情報端末装置とからなり、番組情報サーバーが録画装置に対し、情報端末装置が選択した放送番組の録画予約設定を行うものが知られている（たとえば特許文献1参照)。
【特許文献１】特開２００１−３０９２８５号公報（第７頁、第１図）
【発明の開示】
【発明が解決しようとする課題】
【０００４】
しかしながら、特許文献1に記載されたものでは、ネットワーク経由で番組情報を閲覧し、放送番組の録画予約をすることはできるが、録画された番組を視聴する場合の利便性はほとんど考慮されていない。つまり、モバイル環境で利用される情報端末装置において録画番組を視聴したい場合には、自分で該当する機器にメディアストレージ等を利用して、録画番組を移動する必要があり、非常に面倒である。
【０００５】
本発明は、このような従来の問題に鑑みて成されたものであり、情報端末装置から番組録画予約をしておくと、録画完了後、所定の条件下で自動的に録画された番組が情報端末装置に転送される録画装置を提供することを目的とするものである。
【課題を解決するための手段】
【０００６】
本発明の録画装置は、情報端末装置からの録画予約情報を受信する受信手段と、受信手段によって受信された録画予約情報を管理する録画予約情報管理手段と、録画予約情報管理手段によって管理された録画予約情報の予約時刻になったとき、録画予約情報の予約番組を録画する録画手段と、情報端末装置と通信可能となった場合に、録画手段が録画した録画番組を情報端末装置に自動的に配信する配信手段とを備えた構成を有する。
【０００７】
この構成により、情報端末装置において録画予約情報を録画装置に送信しておくことにより、録画装置において、その録画予約情報に基づいて録画予約された番組が自動的に録画され、情報端末装置が録画装置と通信可能となった場合に、自動的にその録画された番組が情報端末装置に転送されることになり、その後は情報端末装置において自由に録画された番組を視聴することができるという作用を有する。
【０００８】
また、本発明の録画装置は、配信手段が録画された録画番組を情報端末装置に配信した後、録画された番組を録画手段より自動的に消去する消去手段を備えた構成を有する。この構成により、録画された番組が情報端末装置に配信されると、自動的にその録画された番組が録画装置より消去されるため、録画装置の録画媒体を有効に利用し、他の番組を豊富に録画することができるという作用を有する。
【０００９】
また、本発明の録画装置は、配信した録画番組を視聴し終えたという情報を、受信手段が、情報端末装置から受け取った場合に、視聴し終えたという情報に基づいて、視聴し終えた録画番組を録画手段より自動的に消去する消去手段を更に備えた構成を有する。
【００１０】
この構成により、情報端末装置において、配信された録画番組を視聴し終えたとき、その録画番組が録画装置より自動的に消去されることになり、録画装置の録画媒体を有効に利用し、他の番組を豊富に録画することができるという作用を有する。
【００１１】
また、本発明の録画装置は、録画予約情報が情報端末装置を識別する識別情報を含み、配信手段が、この識別情報に基づいて録画番組を録画予約した情報端末装置に配信される構成を有する。
【００１２】
この構成により、録画された録画番組が、録画予約した情報端末装置に正確に配信されることになり、複数の情報端末装置より録画予約があっても、これらの録画予約に対し正確に対応することができるという作用を有する。
【００１３】
また、本発明の録画装置は、録画手段が、録画予約情報の予約番組を録画する場合、録画予約情報を受信した情報端末装置において受け入れ可能なファイル形式で録画する構成を有する。
【００１４】
この構成により、録画予約する情報端末装置が如何なるものであっても、それに応じてその情報端末装置において受け入れ可能なファイル形式で録画されるため、それをそのまま配信することにより、所望の情報端末装置において受信し視聴可能であるという作用を有する。
【００１５】
また、本発明の録画装置は、録画予約情報管理手段が、録画予約情報を受信した予約番組を録画予約情報を受信した情報端末装置の識別情報と共に予め定めたマーク付けを行って管理する構成を有する。
【００１６】
この構成により、マーク付けされた情報に基づいて情報端末装置を区別し、その情報端末装置に正確に録画番組を配信することができるという作用を有する。
【００１７】
また、本発明の録画装置は、録画予約情報管理手段が、予約番組に対して、複数のマーク付けを行うことができる構成を有する。
【００１８】
この構成により、録画予約番組を複数の情報端末装置で同時に予約することができ、例えば、友人、子供などのために、自分の情報端末装置で友人、子供などの情報端末装置の分まで同時に予約することができる。
【００１９】
また、本発明の番組録画予約システムは、録画装置と、録画装置と通信して希望する番組の録画予約を行う情報端末装置とを備え、録画装置が、情報端末装置からの録画予約情報を受信し、情報端末装置に対して録画した録画番組を配信する録画装置側通信手段と、録画予約情報の予約番組を所定のファイル形式にて記録する録画ファイル格納手段と、受信した録画予約情報を情報端末装置に応じた特定のマーク付けを行って保持し、予約番組
の録画、および、録画済番組の配信処理、視聴し終えた録画番組の削除を行う削除処理を管理する録画予約情報管理手段とを備え、情報端末装置が、録画装置側通信手段に対して録画予約に関わる制御情報の送受信を行う情報端末装置側通信手段と、録画予約情報の作成を行う録画予約情報作成手段とを備える構成を有する。
【００２０】
この構成により、情報端末装置において、録画予約のための制御情報を作成し、それを録画装置に送信することにより、録画装置において、情報端末装置からの録画予約を受け付け、録画予約された番組録画を実行し、録画済番組を情報端末装置に配信し、視聴し終えた録画番組を削除することができ、情報端末装置で録画予約した番組を容易にまた確実に視聴することができ、録画装置とは離れた位置でいつでも録画番組を視聴できるという作用を有する。
【００２１】
また、本発明の情報端末装置は、録画装置に番組の予約を行うための録画予約情報の作成を行う録画予約情報作成手段と、録画予約情報作成手段によって作成された録画予約情報を録画装置に送信し、録画装置より録画予約情報に基づいて録画された録画番組を受信する通信手段と、通信手段を通して受信した録画番組を視聴する表示手段とを備えた構成を有する。
【００２２】
この構成により、情報端末装置において、録画予約を行えば、予約された番組が録画装置により録画され、情報端末装置に配信されてくるため、情報端末装置で容易に視聴することができる。
【発明の効果】
【００２３】
本発明の録画装置は、情報端末装置からの録画予約情報を受信する受信手段と、受信手段によって受信された録画予約情報を管理する録画予約情報管理手段と、録画予約情報管理手段によって管理された録画予約情報の予約時刻になったとき、録画予約情報の予約番組を録画する録画手段と、情報端末装置と通信可能となった場合に、録画手段が録画した録画番組を情報端末装置に自動的に配信する配信手段とを備えたものであり、情報端末装置において、録画予約情報を録画装置に送信しておくことにより、録画装置において、録画予約情報に基づいて録画予約された番組が自動的に録画され、情報端末装置と通信可能となった場合に、自動的に録画された番組が情報端末装置に転送されることになり、その後は、情報端末装置において、録画された番組を自由に視聴することができるという効果を有する。
【発明を実施するための最良の形態】
【００２４】
以下、本発明の一実施の形態における録画装置について、図面を用いて詳細に説明する。
【００２５】
図１は、本発明の一実施の形態における録画装置を含む番組録画予約システムの概略構成を示すブロック図である。
【００２６】
本発明の一実施の形態における番組録画予約システムは、図1に示すように、家庭内に固定的に設置され、インターネット５１、その他の通信手段によって番組の録画予約を受け付ける録画装置１１と、テレビ映像を映し出すテレビモニター１２と、テレビ放送を受信するためのアンテナ１３と、自由に持ち運び可能な情報端末装置３１と、日々更新された放送番組の表が格納され、キーワードに応じた放送番組の検索が可能な放送番組情報サーバ４１とを備えている。
【００２７】
情報端末装置３１でインタネット５１を介して放送番組情報サーバ４１にアクセスし、録画予約したい放送番組を検索する。検索して得た日時、及び、番組名を録画予約情報と
して録画装置１１に送信する。録画予約情報は、録画装置１１で受信され、録画装置１１内の記憶部に記憶設定される。記憶設定された録画予約情報の予約時刻になると、録画装置１１が予約設定した番組をアンテナ１３を通して受信し、番組録画処理を実行する。すなわち、この番組録画処理では、情報端末装置３１においてそれぞれ視聴可能な所定の形式の録画ファイルに変換し記録する。そして更に、録画装置１１は、情報端末装置３１が所定の領域内に入るなど、所定の条件下で情報端末装置３１に対し、近距離無線通信手段などの通信手段を介して録画済ファイルを自動的に転送する。情報端末装置３１では、転送された録画済ファイルを受信し、情報端末装置３１内の記憶部に記憶する。記憶された録画番組が情報端末装置１３において視聴された後は、視聴済みの情報が録画装置１１に転送される。視聴済みの情報が録画装置１１に転送されると、それが録画装置１１で受信され、録画装置１１は、この視聴済み情報に基づいて、該当の録画ファイルを録画装置１１から削除する。
【００２８】
図２は、本発明の一実施の形態における録画装置のより詳しい構成を示すブロック図である。
【００２９】
録画装置１１は、図２に示すように、放送信号を受信するチューナ受信部１４と、チューナ受信部１４で受信した音声信号をデコード処理する音声処理部１５と、チューナ受信部１４で受信した映像信号をデコード処理する映像処理部１６と、受信しデコードされた放送番組をテレビ受信機モニターや情報端末装置１３の動画ビューワによって再生可能な形式の録画ファイルに変換し、記録する録画ファイル格納部１７と、放送番組や放送番組情報、予約設定情報をそれぞれ一時的に保持するメモリー１８と、リモコンによるキー操作を行うリモコン受光部１９と、番組録画予約を設定したい情報端末装置３１に対し、自動的に特定のマーク付けを行い、その予約情報を保持し、番組録画の実行、及び、録画済番組の転送、並びに、削除処理を管理する録画予約マーク管理部２０と、音声処理部１５でデコード処理された音声信号を出力する音声出力部２１と、映像処理部１６でデコード処理された映像信号を出力する映像出力部２２と、テレビモニターに文字等を重畳表示させる表示部２３と、情報端末装置３１と録画予約設定情報の送受信を行うための録画装置側通信手段２４と、チューナ受信部１４及びメモリー１８及びリモコン受光部１９及び表示部２３及び録画装置側通信手段２４をそれぞれ制御する演算処理部２５とを備えている。
【００３０】
次に、本発明の一実施の形態における録画装置、及び、番組録画予約システムの動作について図３〜図７を用いて詳細に説明する。
【００３１】
図３は、本発明の一実施の形態における番組録画予約システムの動作を示すフロー図、図４は、同システムで使用する録画ファイル配信端末リストの一例を示す図、図５は、同システムで使用する放送録画予約リストの一例を示す図、図６は、同システムで使用する録画済みファイルリストの一例を示す図、図７は同システムで使用する放送録画予約リストにおいて、複数のマークが管理できる例を示す図である。
【００３２】
先ず、図３を用いて、録画予約したい番組の指定から録画処理の完了、録画ファイルの配信、視聴、視聴済みファイルの削除までの一連の動作について説明する。
【００３３】
放送番組の録画予約を行いたい場合には、携帯している情報端末装置３１において、内臓されているブラウザを立ち上げ、まず、インターネット５１への接続を行い、放送番組情報サーバ４１が公開している録画予約サービスサイトにアクセスする。録画予約サービスサイトにアクセスすると、地区名、放送日を指定するための情報が送信されてくる。したがって、ここで、地区名、放送日を指定すると、その指定された地区名、放送日の番組表が送信されてきて、それが画面上に表示される。
【００３４】
地区名、放送日に加え、あるいは、それとは別に、更に、出演者名やジャンルなどのキーワードを入力することも可能なように構成されており、これらを入力すれば、それらのキーワードを基にこれらのキーワードに該当する番組が録画予約サービスサイトで検索され、送信されてきて、それが画面上に表示される。すなわち、このようにして、先ず、指定した地区、放送日、出演者、ジャンルなどの所望の番組表を取得する（Ｓ１０１）。
【００３５】
番組表を取得すれば、その番組表から、録画予約したい番組を選択する。録画したい番組を選択すると、その情報が放送番組情報サーバ４１に伝送され、放送番組情報サーバ４１より選択された番組の放送番組情報が送信されてくる。したがって、ここで、選択された番組の放送番組情報が取得できる。選択された番組の放送番組情報を取得すると、その取得した放送番組情報に、端末識別情報や、予約マークを付与し、それを録画装置１１に送信する（Ｓ１０２）。
【００３６】
尚、ここで、 放送番組情報とは、チャンネル番号、放送番組の開始時刻、放送番組の終了時刻、放送番組の放映時間、録画モード、番組名等からなる情報である。
【００３７】
取得した放送番組情報が、端末識別情報や予約マークと共に録画装置１１に送信されると（Ｓ１０２）、これらが録画装置１１の録画装置側通信部２４において受信される（Ｓ２０２）。
【００３８】
尚、ここで、情報端末装置３１では、放送録画予約情報をそのまま保持しておき、録画ファイルの配信が行われたときに、これらの間の関連付けを行うのに使用する。
情報端末装置３１、録画装置１１には、それぞれ両者の無線通信手段としてブルートゥース（Ｂｌｕｅｔｏｏｔｈ）等の近距離無線通信手段が設けられており、家庭内にいる時には、この近距離無線通信手段が用いられる。
【００３９】
本実施の形態では、情報端末装置３１と録画装置１１との間の無線通信手段として近距離無線通信手段を用いたものとして、以下、その動作を説明するが、他の通信手段、例えば、インターネット、電子メールなどを用いても良い。いずれの場合も、予め、録画予約できる情報端末装置３１を録画装置１１に登録しておく必要がある。
【００４０】
すなわち、録画予約する前に、それぞれの情報端末装置３１を識別するためのデバイス名やパスキー、デバイスアドレス、配信優先順位などをそれぞれ録画装置１１に送信し（Ｓ１００）、録画装置１１の録画予約マーク管理部２０に、図４に示すように、録画ファイル配信端末リストをマーク管理テーブルとして登録しておく（Ｓ２００）。
【００４１】
図４において、仮に、パパＰＤＡによって番組録画予約処理が行われたとすると、録画装置１１では、受信されたパパＰＤＡの端末識別情報を用いて、マーク検索処理を行うため（Ｓ２０３）、 この処理によって、パパＰＤＡの端末識別情報に対応するマークとしてお父さんマークが特定され、さらに受信した予約マークより放送録画予約リストへの追加であることが判定される。放送録画予約情報は、予約情報にお父さんマークをつけて、放送録画予約情報リストとして、録画予約マーク管理部２０に、図５に示すように格納される（Ｓ２０４）。
【００４２】
放送録画予約情報が録画予約マーク管理部２０に格納される（Ｓ２０４）と、次に、その情報に基づいて、放送番組録画処理が実行される（Ｓ２０５）。放送番組録画処理（Ｓ２０５）は、録画予約マーク管理部２０に格納された放送録画予約情報の予約日時、例えば、図５の２の場合、９月１３日、１８時丁度になると、演算処理部２５の制御により、自動的に録画処理を行い、この例の場合、「サッカー日本対韓国戦」の録画処理が実行さ
れる。すなわち、チューナ受信部１４が演算処理部２５によってチャンネル「８」を選局し、該当する放送番組を受信する。そして、音声信号、映像信号は、それぞれ音声処理部１５、映像処理部１６に送られ、デコードされた音声信号、映像信号は、それぞれ所定のファイル形式に変換され、お父さんマークのマーク付けがなされ、録画ファイル格納部１７に記録される。
【００４３】
録画処理完了後は、録画予約マーク管理部２０の放送録画予約リストの該当する放送録画予約レコードがリスト上から削除され、図６に示すように、録画予約マーク管理部２０で管理されている録画済ファイルリストに追加される。
【００４４】
また、録画ファイル格納部１７に格納された録画ファイルは、録画装置１１に接続されたテレビモニター１２で視聴することができる。動作としては、読み出された録画ファイルを、音声処理部１５、映像処理部１６でエンコードし、音声出力部２１、映像出力部２２からテレビモニター１２に出力する。
【００４５】
次に、録画ファイルの配信処理について説明する。
【００４６】
情報端末装置３１が録画装置１１と近距離無線通信が可能な領域に入り、その存在が検知された場合、録画ファイルの配信処理が自動的に開始される。例えば、情報端末装置３１であるパパＰＤＡの存在が、録画装置１１のＢｌｕｅｔｏｏｔｈネットワーク上にて、新たに検知された場合、配信処理が開始され、録画予約マーク管理部２０上の録画済ファイルリストを参照して、「サッカー日本−韓国戦」の録画済ファイルに付けられているお父さんマークを取得する。次に、録画ファイル配信端末リストより、お父さんマークに対応する端末の識別情報を取得し、新たに検知された情報端末装置との照合を行う。パパＰＤＡは、優先順位が「１」の端末であるため、そのまま自動的に録画ファイル格納部１７にある録画ファイルをパパＰＤＡに配信する（Ｓ１０６、Ｓ２０６）。もし、優先順位が「２」の端末が先に検知された場合、配信していいかどうかの確認メッセージを、端末の表示画面上に表示し、判断を促すようにしてもよい。配信が完了した場合、録画済みファイルリスト内にあるレコードは、配信のところが済みマークとしてマーク付けされる。そして、配信された録画ファイルは、パパＰＤＡ上で、保持しておいた放送録画予約情報と関連付けられる。
【００４７】
情報端末装置３１で、配信された録画番組の視聴が完了したり、録画ファイルの削除処理が行われると、これらがそれぞれ情報端末装置３１で検知され、それらの情報（削除マーク）が放送録画予約情報、自動的に付加される端末識別情報と共に録画装置１１に送信される（Ｓ１０７）。 録画装置１１では、放送録画予約情報と削除マーク及び端末識別情報が受信され、受信された端末識別情報を用いて、図４に示すテーブルよりマーク検索処理を行う（Ｓ２０３）。そして、この処理によって、端末識別情報に対応するマークとして、例えば、お父さんマークが特定され、さらに、削除マークより、録画済みファイルリストが検索対象となり、放送録画予約情報により、削除対象レコードが特定され、格納されたお父さんマークの削除処理が実施される。マークの削除処理が行われその該当レコードにマークが無くなった時点で該当録画ファイルの削除及び録画済ファイルリストの該当レコードの削除が行われる（Ｓ２０７）。
【００４８】
以上が情報端末装置３１の登録、放送番組の録画予約処理から配信済み録画ファイルの削除処理までの一連の動作である。
【００４９】
なお、ここで、１つの放送録画予約レコードで複数のマークを管理できる場合について説明する。予約する情報端末装置３１の番組録画予約処理（Ｓ１０２）において、自己の情報端末装置のみならず、他の情報端末装置の端末情報も併せて送信することが可能であ
る。具体的には、予め、他の情報端末装置との間で通信を行っておき、他の情報端末装置の端末情報を取得しておく。そして、それに基づいて、自己の情報端末装置で録画予約を行う場合、同時に他の情報端末装置にも配信して欲しい旨の予約をすることが可能である。例えば、お兄さんも妹もその番組を見たい場合、予約時に妹の情報端末装置としての妹携帯テレビの端末情報も付加して、番組録画予約処理（Ｓ１０２）を行う。このようにすれば、録画装置１１の録画予約マーク管理部２０に保持された放送番組リストに、図７に示すように、お兄さんマークに併せて妹マークも同時に該当レコードに対して付加される。したがって、放送番組の録画が完了すると、同レコードは、録画済ファイルリストに移動され、お兄さんマークが付けられた兄ノートＰＣと、妹マークが付けられた妹携帯テレビの両端末に対して録画ファイルの配信処理が実施される。そして、録画済番組削除処理は、兄ノートＰＣ、妹携帯テレビの両端末への該当録画ファイルの配信、両端末からの該当削除ファイルの放送番組情報、削除マークの受信により、実施される。
【００５０】
以上、説明したように、本実施の形態によれば、録画装置において、録画が完了すると、録画済番組に設定されたマーク付けに応じて、必要な情報端末装置に対し、自動的に録画番組の配信をすることができ、配信を受けた情報端末装置で録画された番組を視聴することができる。
【００５１】
また、1つの放送録画番組に複数のマーク付けを行うことができ、このようにすれば、そのマークに対応する全ての情報端末装置に対して自動的に録画番組の配信をすることが可能となり、これらの情報端末装置で任意に録画された番組を視聴することができる。
【００５２】
また、複数のマーク状態を参照して、録画済み番組の複数人の視聴状況を確認することができ、不要な録画済み番組の消去が可能となり、記録媒体の保存領域を有効に活用することができる。
【００５３】
また、本実施の形態の録画予約システムによれば、録画番組の予約設定、視聴端末機器への転送、視聴済み番組の削除など、一連の動作を自動的に行うことができる。具体的には、情報端末装置による録画予約設定を行う時点で、録画完了時に録画装置より、自動的に録画番組の転送を行いたい端末の指定ができ、さらには、録画番組が転送された情報機器端末から視聴済みマークを受信することで、録画装置上の不要な録画済番組の消去を行うことができる。
【００５４】
尚、本実施の形態では、情報端末装置３１と録画装置１１との間の通信部２４、３２として近距離無線通信を例にとって説明したが、外出先からの情報端末装置３１による操作を行いたい場合には、ダイアルアップや無線ＬＡＮによるインターネット５１接続により、録画装置１１との通信が可能なように構成してもよい。このようにすれば、放送録画ファイル配信処理において、録画装置１１が録画済番組のファイルサーバの役割を果たすこととなり、録画ファイルのマーク付けに応じた情報端末装置にそれぞれのファイルが自動的に配信されることになり、その他の処理も本実施の形態と同様に行うことができる。
【産業上の利用可能性】
【００５５】
以上のように、本発明にかかる録画装置は、情報端末装置からの録画予約情報を受信する受信手段と、受信手段によって受信された録画予約情報を管理する録画予約情報管理手段と、録画予約情報管理手段によって管理された録画予約情報の予約時刻になったとき、録画予約情報の予約番組を録画する録画手段と、情報端末装置と通信可能となった場合に、録画手段が録画した録画番組を情報端末装置に自動的に配信する配信手段とを備えたものであり、情報端末装置において、録画予約情報を録画装置に送信しておけば、録画装置において、その録画予約情報に基づいて録画予約された番組が自動的に録画され、情報端末装置が予め定めた領域に入ったとき、自動的に録画された番組が情報端末装置に転送され
るため、その後は、情報端末装置において、録画された番組を自由に視聴することができるという効果を有し、情報端末装置からの録画予約情報を受信し、それぞれの録画予約情報に応じて、予約された番組を録画可能な録画装置等として有用である。
【図面の簡単な説明】
【００５６】
【図１】本発明の一実施の形態における通信型録画予約システムにおける録画装置の概略構成を示すブロック図
【図２】本発明の一実施の形態における録画装置のより詳細な構成を示すブロック図
【図３】本発明の一実施の形態における通信型番組録画予約システムにおける録画装置の動作を示すフロー図
【図４】本発明の一実施の形態における通信型録画予約システムにおける録画装置において使用する録画ファイル配信端末リストの一例を示す図
【図５】本発明の一実施の形態における通信型録画予約システムにおける録画装置において使用する放送録画予約リストの一例を示す図
【図６】本発明の一実施の形態における通信型録画予約システムにおける録画装置において使用する録画済みファイルリストの一例を示す図
【図７】本発明の一実施の形態においる通信型録画予約システムにおける録画装置において使用する放送録画予約リストの他の例を示す図
【符号の説明】
【００５７】
１１  録画装置
１２  テレビモニター
１３  放送受信アンテナ
１４  チューナ受信部
１５  音声処理部
１６  映像処理部
１７  録画ファイル格納部
１８  メモリー
１９  キー操作リモコン受光部
２０  録画予約マーク管理部
２１  音声出力部
２２  映像出力部
２３、３４  表示部
２４  録画装置側通信部
２５  演算処理部
３１  情報端末装置
３２  情報端末側通信部
３３  制御部
３５  入力部
４１  放送番組情報サーバ
５１  インターネット
【図１】
2005217846.tif 000003
【図２】
2005217846.tif 000004
【図３】
2005217846.tif 000005
【図４】
2005217846.tif 000006
【図５】
2005217846.tif 000007
【図６】
2005217846.tif 000008
【図７】
2005217846.tif 000009